(57)【要約】【課題】外部からの衝撃等に対して、電磁継電器の誤動作を防止できる電磁継電器を提供する。【解決手段】固定接点３２と可動接点３３とを接離する電磁継電器において、固定鉄心１７と、固定鉄心１７に接離する可動鉄心１８と、固定鉄心１７に当接するように可動鉄心１８を駆動させて、固定接点３２と可動接点３３とを当接させる電磁コイルとを備え、固定鉄心１７又は可動鉄心１８の少なくとも一方の鉄心は、磁性体５２１を含むスペーサと、固定鉄心１７と可動鉄心１８の当接面から鉄心の内部に向かって切り欠かれ、スペーサを収納する収納部５１とを有し、スペーサは、電磁コイルの通電時には、収納部に収納され、スペーサの少なくとも一部は、電磁コイルの非通電時に、当接面よりも収納部の外側に位置する。【選択図】  図３
2014096273.tif 000002
【特許請求の範囲】
【請求項１】
固定接点と可動接点とを接離する電磁継電器において、
固定鉄心と、
前記固定鉄心に接離する可動鉄心と、
前記固定鉄心に当接するように前記可動鉄心を駆動させて、前記固定接点と前記可動接点とを当接させる電磁コイルとを備え、
前記固定鉄心又は前記可動鉄心の少なくとも一方の鉄心は、
磁性体を含むスペーサと、
前記固定鉄心と前記可動鉄心の当接面から前記鉄心の内部に向かって切り欠かれ、前記スペーサを収納する収納部とを有し、
前記スペーサは、
前記電磁コイルの通電時には、前記収納部に収納され、
前記スペーサの少なくとも一部は、
前記電磁コイルの非通電時に、前記当接面よりも前記収納部の外側に位置する
ことを特徴とする電磁継電器。
【請求項２】
請求項１記載の電磁継電器であって、
前記スペーサは回転子であって、
前記回転子は、
前記鉄心に固定された固定点を中心に回転可能であって、前記電磁コイルの非通電時には、前記可動鉄心の駆動方向に対して平行で、かつ、前記固定点を含む直線上に位置していることを特徴とする電磁継電器。
【請求項３】
請求項２記載の電磁継電器であって、
前記磁性体は、
前記電磁コイルの非通電時には、前記直線よりも前記回転子の回転方向側に位置する
ことを特徴とする電磁継続器。
【請求項４】
請求項２又は３記載の電磁継電器であって、
前記鉄心は、
一対の前記回転子及び一対の前記収納部を有し、
前記一対の回転子は、
前記駆動方向と平行な前記鉄心の中心軸に対して対称に配置されている
ことを特徴とする電磁継電器。
【請求項５】
請求項２〜４のいずれか一項に記載の電磁継電器であって、
前記回転子は、
前記電磁コイルの非通電時に、前記当接面と接触する接触面を有する
ことを特徴とする電磁継電器。
【請求項６】
請求項２〜５のいずれか一項に記載の電磁継電器であって、
前記回転子は、
前記電磁コイルが通電状態から非通電状態になる際に、前記回転子の回転方向に、前記回転子を付勢する付勢手段を有する
ことを特徴とする電磁継電器。
【請求項７】
請求項２〜６のいずれか一項に記載の電磁継電器であって、
前記電磁コイルを非通電状態から通電状態になる際の、前記回転子の回転方向を順方向とした場合に、
前記回転子は、前記順方向とは逆方向への回転方向側に側面を有し、
前記側面は、前記固定点を中心とした前記回転子の回転軌跡上で、外周側の外周端部と内周側の内周端部とを含み、
前記外周端部は、前記回転子の回転で、最も他方の鉄心側に近い軌跡を通る
ことを特徴とする電磁継電器。
【発明の詳細な説明】
【技術分野】
【０００１】
本発明は、電磁継電器に関するものである。
【背景技術】
【０００２】
鉄心と、鉄心本体を覆うとともに導電コイルが巻回されるボビンと、鉄心継鉄に連結され、ヒンジバネにより鉄心本体に対して近接離反する接極子と、接極子に連結部材を介して連結された接点機構とを備えた電磁継電器において、当該鉄心と当該連結部材との間に磁性体のバネ部材を設け、導電コイルの非通電時に、当該バネ部材の先端部を連結部材に接触することで、先端部及び連結部材完に摩擦を発生させて、連結部材が慣性で意図しない移動をすることを摩擦で規制し、通電時に、先端部を連結部材から離して連結部材の動作を阻害しないようにした電磁継電器が開示されている（特許文献１）。
【先行技術文献】
【特許文献】
【０００３】
【特許文献１】特開２０１０−２３１９８７号公報
【発明の概要】
【発明が解決しようとする課題】
【０００４】
しかしながら、摩擦力のみで部材を支えようとする構成では、摩擦力以上の力が加わった場合には当該部材が意図せず移動するため、摩擦力以上の強い衝撃に対して、電磁継電器の誤動作を防ぐことができない、という問題があった。
【０００５】
本発明は、外部からの衝撃等に対して、電磁継電器の誤動作を防止できる電磁継電器を提供する。
【課題を解決するための手段】
【０００６】
本発明は、固定鉄心又は前記可動鉄心の少なくとも一方の鉄心に、磁性体を含むスペーサと、固定鉄心と可動鉄心の当接面から鉄心の内部に向かって切り欠かれ、スペーサを収納する収納部とを有し、電磁コイルの通電時には、当該スペーサを前記収納部に収納し、電磁コイルの非通電時には、当該スペーサの少なくとも一部を、前記当接面よりも前記収納部の外側に位置することによって上記課題を解決する。
【発明の効果】
【０００７】
本発明によれば、電磁コイルの非通電状態には、固定鉄心と可動鉄心との間にはスペーサが存在するため、外部からの衝撃等による可動鉄心の固定鉄心までの移動がスペーサで規制されることになり、電磁継電器の誤動作を防止することができる。
【図面の簡単な説明】
【０００８】
【図１】本発明の実施形態に係るリレースイッチの断面図である。
【図２】図１のリレースイッチのオン状態の断面図である。
【図３】図１の固定鉄心の斜視図である。
【図４】（ａ）は図１のリレースイッチのオフ状態の断面図であり、（ｂ）はレースイッチのオン状態の断面図である。
【図５】図４（ａ）の回転子の周囲を拡大した固定鉄心の断面図である。
【図６】図４（ｂ）の回転子の周囲を拡大した固定鉄心の断面図である。
【図７】本発明の他の実施形態に係る回転子の斜視図であって、（ａ）は回転子の正面からの図であり、（ｂ）は回転子の背面からの図である。
【図８】本発明の他の実施形態に係る回転子の周囲を拡大した固定鉄心の断面図である。
【図９】本発明の他の実施形態に係るリレースイッチの断面図である。
【図１０】図９の回転子の周囲を拡大した固定鉄心の断面図である。
【図１１】（ａ）は図９のリレースイッチのオフ状態の断面図であり、（ｂ）はレースイッチのオン状態の断面図である。
【図１２】図１１（ｂ）の回転子の周囲を拡大した固定鉄心の断面図である。
【図１３】図９のリレースイッチに対して、可動鉄心１８の駆動方向に外力が加わった状態を説明するための、リレースイッチの断面図である。
【図１４】図１３の回転子の周囲を拡大した固定鉄心の断面図である。
【図１５】図９のリレースイッチに対して、可動鉄心１８の駆動方向に対し斜め方向から外力が加わった状態を説明するための、リレースイッチの断面図である。
【図１６】図１５の回転子の周囲を拡大した固定鉄心の断面図である。
【図１７】図１５の回転子の周囲を拡大した固定鉄心の断面図である。
【図１８】本発明の変形例に係るリレースイッチの断面図である。
【図１９】図１８の回転子の周囲を拡大した固定鉄心及び可動鉄心の断面図である。
【図２０】図１８の回転子の周囲を拡大した固定鉄心及び可動鉄心の断面図である。
【図２１】本発明の他の実施形態に係る回転子の斜視図である。
【図２２】図２１の回転子の周囲を拡大した固定鉄心の断面図である。
【図２３】本発明の他の実施形態に係る回転子の周囲を拡大した固定鉄心及び可動鉄心の断面図である。
【図２４】図２３の回転子の回転動作中における、回転子の周囲を拡大した固定鉄心及び可動鉄心の断面図である。
【図２５】図２３の回転子を収納部に収納した状態における、回転子の周囲を拡大した固定鉄心及び可動鉄心の断面図である。
【発明を実施するための形態】
【０００９】
以下、本発明の実施形態を図面に基づいて説明する。
【００１０】
《第１実施形態》
図１は、本発明の実施形態に係るリレースイッチ（電磁継電器）１００の断面図である。本例のリレースイッチは、例えば、電気自動車やハイブリッド自動車等のメインリレーとして用いられるが、他の車両のスイッチに適用してもよく、車両用のスイッチ以外のスイッチに適用してもよい。
【００１１】
リレースイッチ１００は、図２に示すように、駆動部１０と接点部３０とを備えている。駆動部１０は、コイル１１と、ボビン１２と、筐体部１３と、上板１４と、フランジャキャップ１５と、ゴムダンパ１６と、固定鉄心１７と、可動鉄心１８と、バネ１９とを備えている。駆動部１０は、後述するように、シャフト３４を軸方向（図１の上下方向）に駆動させることで、可動接点３３と固定接点３２とを接離させる部材である。
【００１２】
コイル１１は、コイルを複数巻くことで円筒状に形成され、当該コイルに電流を流すことで磁束を発生させる。ボビン１２はコイル１１を保持するための部材であり、円筒状の壁部１２１と、当該円筒状の壁部１２１の両端からそれぞれ外方に、壁部１２１の垂直方向に延在する、一対の板部１２２とを備えている。コイル１１は、一対の板部１２２により狭持されている。コイル１１は、図示しない制御回路に接続され、当該制御回路から出力される電流により磁束を発生させる。
【００１３】
筐体部１３は、有底円筒状に形成され、底面部１３１と、当該底面部１３１の垂直方向に延在する壁部１３２とを備え、底面部１３１と対向する方向が開放されている。また底面部１３１の中心部分には、凹部１３３が設けられている。筐体部１３は、鉄などの金属の磁性材料で形成される。上板１４は、円筒状に形成され、上板部１４の中心部分には、後述するシャフトを貫通させる貫通孔１４１が形成されている。上板１４は、磁性材料で形成され、筐体部１３の蓋部分となり、底面部１３１と対向する方向から、筐体部１３の開口部を覆い、側壁１３２と、カシメ等により固定される。
【００１４】
フランジャキャップ１５は、有底円筒状に形成され、円筒状の筒部１５１と、筒部１５１の底面を覆う底面部１５２とを備えている。フランジャキャップ１５は、ボビン１２の壁部１２１及び凹部１３３で覆われる空洞部分に圧入され、凹部１３３及び壁部１２１の内側の表面を覆うように組み込まれている。これにより、コイル１１及びボビン１２は、筐体部１３、上板１４及びフランジャキャップ１５により収納される。天板１４の表面の内周部分には、ゴムダンパが設けられ、ゴムダンパ１６は円筒状に弾性部材により形成されている。ゴムダンパ１６の中心部は、シャフト３４を通すために、円筒状の空洞になっている。ゴムダンパ１６は、シャフト３４の分岐した部分と天板１４との間の衝突エネルギーを吸収するために設けられている。
【００１５】
固定鉄心１７は、筒状の円筒部１７１と、円筒部１７１の外周と同じ大きさの外周である円筒部１７２とを一体にして形成されている。円筒部１７１及び円筒部１７２は、同軸状に配置され、それぞれの軸心には、後述するシャフト３４を挿入するための挿入孔１７１１、１７１２が設けられている。円筒部１７１の外壁面と円筒部１７２の外壁面は、面一になるように形成され、挿入孔１７１２の直径は、挿入孔１７１１の直径より大きくなるように形成されている。これにより、固定鉄心１７には、円筒部１７２の底面から上方に向けて凹んだ凹部１７３が形成される。固定鉄心１７は、例えば、鉄などの金属の積層鋼板により形成される。固定鉄心１７は、フランジャキャップ１５の筒部１５２の内側に圧入され、フランジャキャップ１５の上部に密着している。また、挿入孔１７１１の直径は、シャフト３４の軸部３４１の直径より大きくなるように形成され、円筒部１７１の内側の表面とシャフト３４の軸部３４１の表面との間には隙間が形成されている。これにより、円筒部１７１の内側の表面が、シャフト３４を摺動させる摺動面となる。
【００１６】
なお、図１及び後述する図２では図示を省略しているが、固定鉄心１７には、収納部５１と、回転子５２が設けられている。収納部５１及び回転子５２の構成は後述する。
【００１７】
可動鉄心１８は、筒状の円筒部１８１と、円筒部１８１の外周と同じ大きさの外周の円筒部１８２とを一体にして形成されている。円筒部１８１及び円筒部１８２は、同軸状に配置され、それぞれの軸心には、後述するシャフト３４を挿入するための挿入孔１８１１、１８１２が設けられている。円筒部１８１の外壁面と円筒部１８２の外壁面は、面一になるように形成され、挿入孔１８１２の直径は、挿入孔１８１１の直径より大きくなるように形成されている。これにより、可動鉄心１８には、円筒部１８２の上面から下方に向けて凹んだ凹部１８３が形成される。
【００１８】
可動鉄心１８は、例えば、鉄などの金属の積層鋼板により形成される。可動鉄心１８は、フランジャキャップ１５の筒部１５２に挿入される。可動鉄心１８の外周の直径は、筒部１５２の駆動部分の直径より小さくなるよう形成され、可動鉄心１８の外側の表面と、筒部１５２の下部分における、内側の表面との間には、隙間が形成されている。また、シャフト３４の先端部分が円筒部１８１の挿入孔１８１１に圧入され、シャフト３４の先端部分と円筒部１８１が固定されている。これにより、可動鉄心１８の外側の表面が、フランジャキャップ１５の内側の表面に対して摺動する摺動面となる。そして磁気回路は、筐体部１３、上板１４、固定鉄心１７及び可動鉄心１８により形成される。
【００１９】
バネ１９は、シャフト３４の軸部３４１の外径より大きい内径を有するコイル状の弾性部材であり、軸部３４１の中心軸と同芯軸上に配置され、バネ１９の空洞部分にシャフト３４が挿入される。バネ１９の上端部分が凹部１７３に嵌り、バネ１９の下端部分が凹部１８３に嵌ることで、固定鉄心１７及び可動鉄心１８にそれぞれ固定されている。バネ１９は、可動接点３３を固定接点３２から乖離させる方向へ可動鉄心１８を付勢する。
【００２０】
接点部３０は、ベースブロック３１と、一対の固定接点３２と、可動接点３３と、シャフト３４と、接圧バネ３５とを備えている。
【００２１】
ベースブロック３１は、絶縁性の部材で矩形状に形成され、天板３１１と、当該天板３１１の端部から垂直方向に延在する壁部３１２とを備え、天板３１１と対向する方向が開放されている。天板３１１には、一対の固定接点３２が挿入される挿入孔３１１１、３１１２が形成されている。壁部３１２の下方の端部は、上板１４に固定されている。そして、天板３１１、壁部３１２及び上板１４で形成される空間に、可動接点３３及びシャフト３４の上部が収納される。
【００２２】
固定接点３２は、例えば銅などの導電体で形成され、筒状の円筒部３２１と、円筒部３２１の外周より小さい外周である円筒部３２２とを一体して形成されている。円筒部３２２の外径は天板３１１に設けられた挿入孔３１１１、３１１２の径より若干大きくなるよう形成されている。固定接点３２は、下側である円筒部３２２が天板３１１の挿入孔３１１１、３１１２に挿入され、円筒部３２１がベースブロック３１から外方に突出した状態で、ベースブロック３１に固定されている。
【００２３】
可動接点３３は、例えば銅などの導電体で形成され、平板状に形成されている。可動接点３３の中心には、シャフト３４を挿入するための挿入孔が設けられて、シャフト３４が当該挿入孔に圧入されることで、可動接点３３がシャフト３４に固定されている。可動接点３３の上方の表面が、固定接点３２との接点となる。
【００２４】
シャフト３４は、例えば非磁性材料により形成され、棒状の軸部３４１と、軸部３４１の一端に設けられる軸受け部３４２とを備える。軸部３４１は、可動接点３３の中心の挿入孔及び可動鉄心１８の中心の挿入孔１８１１、１８１２に挿入され、可動接点３３及び可動鉄心１８に固定されている。また軸部３４１は、接圧バネ３５の内側の空洞部分、上板１４の中心の挿入孔１４１、固定鉄心１７の中心の挿入孔１７１１、１７１２、及び、復帰バネ１９の内側の空洞部分に移動自在に挿入されている。軸受け部３４２は、外径が可動接点３３の挿入孔の径より大きくなるように形成され、可動接点３３に固定されている。シャフト３４は、リレースイッチ１００のオン及びオフに伴い、軸部３４１の中心軸の軸方向（図１のＺ方向）に可動し、当該中心軸の軸方向が、可動接点３３及び可動鉄心１８の移動方向となる。
【００２５】
バネ３５は、シャフト３４の軸部３４１の外径より大きい内径を有するコイル状の弾性部材であり、軸部３４１の中心軸と同芯軸上に配置され、可動接点３３と上板１４との間に設けられている。バネ３５は、可動接点３３を固定接点３２に当接させる方向に、可動接点３３を付勢する。
【００２６】
図１に示す状態は、コイル１１に電流を流していない非通電状態を示している。コイル１１に電流を流し、コイル１１を通電状態にすると、上記の磁気回路で磁界が発生し、図２に示すように、可動鉄心１８が固定鉄心１７に当接するよう駆動し、固定接点３２と可動接点３３が当接する。これにより、リレースイッチ１００がオン状態なる。固定鉄心１７と可動鉄心１８が互いに対向する面、言い換えると、固定鉄心１７の円筒部１７２の底面と、可動鉄心１８の円筒部１８２の天面が当接面となる。
【００２７】
次に固定鉄心１７の構成について、図３を用いて、さらに説明する。図３は、固定鉄心１７の斜視図である。図１７に示すように、固定鉄心１７は、収納部５１と、回転子５２と、軸部５３とを有している。
【００２８】
収納部５１は、固定鉄心１７の底面Ａ（以下、当接面とも称す）から内部に向かって切り欠きを入れることで形成された空洞部分である。底面Ａは、可動鉄心１８と当接する当接面となる。収納部５１は、直方体の形状に切り欠かれている。すなわち、底面Ａのうち、収納部５１が設けられている部分は、底を有した穴になっている。収納部５１の空洞は、少なくとも回転子５２より大きくなるよう形成されている。
【００２９】
回転子５２は、棒状又は板状に形成され、軸部５３により支持されている。可動鉄心の移動軸（シャフト３４の移動軸）と平行な線に沿う方向（図３のＺ方向）で、回転子５２の両端のうち、一方の端部には軸部５３を通すための挿入孔が設けられている。そして、軸受けを有した軸部５３を当該挿入孔に通して、軸部５３の先端部分を収納部５１の内壁に、ネジ止め等で固定することで、回転子５２は、収納部５１に、軸部５３を中心に回転可能な状態で固定されている。
【００３０】
軸部５３の軸心と固定鉄心１７との交点が、軸部５３と固定鉄心１７との固定点となり、軸部５３の中心軸が回転子５２の回転軸となる。また軸部５３の軸心は、当接面Ａに沿う方向（図３のＸ方向）と平行になっている。なお、軸部５３の軸心は、当接面Ａに沿う方向に対して垂直方向（図３のＺ方向）でなければ、当接面に対して傾いていてもよい。言い換えると、回転子５２の回転子軌跡が、当接面Ａに沿った面と交差すればよい。
【００３１】
また、回転子５２は、磁性体を有している。磁性体は回転子５２の内部に埋め込まれている。さらに、コイル１１の通電時に、コイル１１から発生する磁力線が、回転子５２の磁性体を通る位置に、回転子５２は配置されている。言い換えると、上記の磁気回路内に、磁性体が含まれるような位置に、回転子５２は配置されている。
【００３２】
そして、回転子５２は、以下に詳述するように、コイル１１の通電時には、磁性体の磁気的な作用によって、回転するように構成されている。そのため、回転子５２は、当該磁気的な作用で回転可能な材料及び形状に形成されている。回転子５２は例えば、磁性体を覆った樹脂等により形成されている。
【００３３】
軸部５３は、回転子５２の回転軸を中心軸とした筒状の部材である。例えば、軸部５３は、円筒状の部材であり、長手方向の一端に、鉄心と固定するためにネジを切り、他端に、当該円筒状の直径よりも大きな径の軸受けを設ける。
【００３４】
次に、図４、図５及び図６を用いて、回転子５２の作用について説明する。図４は、リレースイッチ１００がオン、オフの時の、回転子５２の状態を説明するための、リレースイッチ１００の部分断面図である。図４（ａ）は、リレースイッチ１００のオフ状態を、（ｂ）はリレースイッチ１００のオン状態を示す。図５は、図４（ａ）の収納部５１及び回転子５２の周囲を拡大した固定鉄心１７の断面図を示し、図６は図４（ｂ）の収納部５１及び回転子５２の周囲を拡大した固定鉄心１７の断面図を示す。
【００３５】
まず、コイル１１の非通電状態では、リレースイッチ１００はオフになり、回転子５２は、図４（ａ）及び図５の状態となる。上記のとおり、回転子５２は、一端を、軸部５３により固定鉄心１７に固定されている。そのため、回転子５２の他端（開放端）は、回転子５２の自重により、当接面Ａより可動鉄心１８側に位置する。すなわち、当該他端を含む回転子５２の一部が、収納部５１の外側に位置しており、固定鉄心１７及び可動鉄心１８の互いの当接面の間に位置している。
【００３６】
また、回転子５２は、直線Ｌ１上に位置している。直線Ｌ１は、可動鉄心１８の可動方向に対して平行方向（図４、５のＺ方向）で、軸部５３の固定点（軸心）を通る直線である。すなわち、直線Ｌ１は、可動鉄心１８の駆動方向と、可動鉄心１８の重力方向と同一方向とした上で、当該同一方向で、軸部５３の固定点を通る直線である。そして、回転子５２の一端が軸部５３の固定点で固定され、回転子５２は当該重力方向を長手方向とする形状に形成されている。そのため、回転子５２は、軸部５３の固定点を通る重力方向の直線に沿うように垂れ下がっている。
【００３７】
一方、コイル１１の通電状態では、リレースイッチ１００はオンになり、回転子５２は、図４（ｂ）及び図６の状態となる。上記のとおり、回転子５２は磁性体を含んでいる。そのため、磁性体が、コイル１１から発生する磁場の影響を受けて、回転子５２は軸部５３の中心軸を、回転軸として回転する。本例では、図４、６はＸ軸方向に回転軸の軸心をとっているため、回転子５２はＹＺ面上を回転軌跡として回転する。
【００３８】
回転子５２が回転すると、コイル１１の非通電時に当接面Ａよりも収納部５１の外側に出ていた回転子５２の他端は、収納部５１の内部に収まる。よって、コイル１１の導通時には、回転子５２は収納部５１の内部に完全に収納される。
【００３９】
そして、回転子５２が収納部５１に収納されるため、図４（ｂ）に示すように、回転子５２が、可動鉄心１８の駆動を規制することなく、可動鉄心１８は固定接点１７と当接面Ａで当接し、固定接点３２と可動接点３３が当接する。これにより、通常の動作で、コイル１１の通電時には、リレースイッチ１００を動作させることができる。
【００４０】
一方、コイル１１の非通電状態時に、リレースイッチ１００に衝撃や振動が加わると、可動鉄心１８が固定鉄心１７に近づく方向（図４のＺ方向）に移動する。特に、外部からの衝撃や振動の力が強い場合には、可動鉄心１８は、バネ１９の弾性力よりも強い力を受けて、移動する可能性がある。
【００４１】
この際、可動鉄心１８と固定鉄心１７との互いの当接面が近づくようになるが、本例では、図５に示すように、コイル１１の非通電時には、回転子５２の一部が、固定接点１７の当接面よりも収納部５１の外側であり、可動接点１８側に位置する。
【００４２】
さらに、回転子５２は、可動鉄心１８の駆動方向に対して平行方向で、軸部５３の固定点を通る直線Ｌ１上に位置する。
【００４３】
そのため、可動鉄心１８の天面が、固定鉄心１７の底面Ａと当接しようとしても、可動鉄心１８の天面は、固定鉄心１７に当接する前に、回転子５２の端部と接触し、直線Ｌ１上の回転子５２の部分が規制部材（スペーサ）として作用するため、可動接点１８の移動が規制される。
【００４４】
すなわち、コイル１１の非通電時に、可動鉄心１８と固定接点１７の互いの当接面の間には、回転子５２が位置しているため、可動接点１８が固定接点１７との当接位置まで移動することを、幾何学的に防ぐことができる。これにより、コイル１１の非通電時には、外部からの衝撃等により、可動接点３３が固定接点３２に当接することを防ぎ、リレースイッチ１００が誤ってオンになることを防ぐことができる。
【００４５】
上記のとおり、本例において、磁性体を含む固定鉄心１７は、コイル１１の通電時には、収納部５１に収納され、コイル１１の非通電時には、可動鉄心１８の駆動方向に対して平行で、かつ、軸部５３の固定点を含む直線状に位置し、回転子５２の少なくとも一部は、コイル１１の非通電時に、固定鉄心１７の当接面よりも収納部の外側に位置する。
【００４６】
これにより、コイル１１の非通電時に、衝撃、信号等により、可動鉄心１８が固定鉄心１７に向かって移動した場合に、可動接点３３と固定接点３２が接触してリレースイッチ１００が通電する位置まで、可動鉄心１８が移動することを、幾何学的に妨げることができる。また、コイルの通電時には、回転子５２が収納部５１に収納されるため、回転子５２がリレーの動作を邪魔することはない。その結果として、リレースイッチ１００の誤動作を防ぐことができる。なお、回転子５２の代わりに移動体を用いて、軸部５３の固定点を可動鉄心１８の駆動方向に対して平行にガイドするレールを用いて、ばね等で移動体を収納部の外に位置させるように付勢させても同様の効果が得られる。回転子５２及び移動体が本発明のスペーサに相当する。
【００４７】
ところで、本発明とは異なる比較例として、磁性材料によるバネ部材を設けて、コイル１１の非通電時には、バネ部材の先端部分を他の部材と接触させて、この接触部分の摩擦力で、外部からの振動に対して、当該他の部材の移動を規制するものがある。
【００４８】
しかしながら、当該比較例のように、摩擦力のみで部材を支える構成では、摩擦力以上の力が加わった場合に、摩擦力で支えていた部材が移動するという問題がある。さらに、摩擦力に対抗する力が、外部からの衝撃等により、繰り返し加わった場合には、摩擦力を発生していた接触部分が削れてしまい、摩擦力が低下する、という問題もあった。
【００４９】
一方、本例は、摩擦力を利用して、衝撃等による可動鉄心１８の移動を規制するものではないため、上記比較例のような問題を回避した上で、リレースイッチ１００の誤動作の防ぐことができる。
【００５０】
なお、本例では、収納部５１、回転子５２及び軸部５３を固定鉄心１７に設けたが可動鉄心１８に設けてもよく、また固定鉄心１７及び可動鉄心１８の両方の鉄心に設けてもよい。
【００５１】
上記のコイル１１が本発明の「電磁コイル」に相当する。
【００５２】
《第２実施形態》
図７は、本発明の他の実施形態に係るリレースイッチの回転子の斜視図である。本例では上述した第１実施形態に対して、回転子５２の形状が異なる。これ以外の構成は上述した第１実施形態と同じであるため、その記載を適宜、援用する。図７（ａ）は回転子５２を正面からみた斜視図であり、（ｂ）は回転子５２を背面からみた斜視図である。
【００５３】
図７に示すように、回転子５２は、直線Ｌ１上に形成された本体部５２ａと、回転子５２の回転軸（図７のＸ軸方向）と直線Ｌ１と含む平面（図７のＸＺ平面）と平行な、本体部５２ａの側面から延在した延在部５２ｂとを有している。延在部５２ｂは、直方体状の部材であって、直線Ｌ１と平行で、軸部５３の固定点を通らない直線Ｌ２上に形成されている。言い換えると、延在部５２ｂは、直線Ｌ１を図７のＹ方向にオフセットした直線Ｌ２上に形成されている。磁性体５２１は延在部５２ｂの内部に埋め込まれている。
【００５４】
次に、コイル１１に通電時に、回転子２２に加わる力の方向について、図８を用いて説明する。図８は、収納部５１及び回転子５２の周囲を拡大した固定鉄心１７の断面図である。
【００５５】
コイル１１に通電すると、磁性体５２１には、電磁誘導により、図８のＺ方向に、電磁誘導の力（Ｆｖ）が加わる。磁性体５２１は、重心から軸部５３の固定点Ｐ（軸心上の点）の方向に、回転子５２の部材により支えられている。力（Ｆｖ）は分解されて、回転子が固定鉄心１７の当接面Ａに近づくような回転力（Ｆｒ）が発生する。
【００５６】
すなわち、本例では、延在部５２ｂに磁性体５２１を設けることで、磁性体５２１が、コイル１１の非通電時に、直線Ｌ１より回転子５２の回転方向側（回転力Ｆｒの方向側）に位置するようにしている。
【００５７】
これにより、コイル１１の通電時の電磁誘導の力が回転子５２に対して回転力を発生し易くするように、回転子５２を構成することができる。
【００５８】
上記のように、本例において、磁性体５２１は、コイル１１の非通電時には、直線Ｌ１よりも回転子５２の回転方向側に位置する。これにより、回転子５２に対して回転力が発生し易くなり、回転子５２を、リレースイッチ１００のオン動作と同期して、収納部５１に収納することができる。また、回転子５２を回転させるための別装置が不要になる。
【００５９】
《第３実施形態》
図９は、本発明の他の実施形態に係るリレースイッチの断面図である。本例では上述した第１実施形態に対して、収納部５１、回転子５２及び軸部５３をそれぞれ複数設ける点と、回転子５２の形状が異なる。これ以外の構成は上述した第１実施形態と同じであり、第１、第２実施形態の記載を適宜、援用する。
【００６０】
図９に示すように、固定鉄心１７には、一対の収納部５１、一対の回転子５２及び軸部５３がそれぞれ設けられている。そして、可動鉄心１８の駆動方向と平行な、固定鉄心１７の中心軸をＬ３とすると、一対の収納部５１、一対の回転子５２及び軸部５３は、中心軸（Ｌ３）に対して対称になるように、固定鉄心１７に配置されている。
【００６１】
図１０は、図９の収納部５１及び回転子５２の周囲を拡大した固定鉄心１７の断面図を示す。なお、図１０は、一方の収納部５１、回転子５２及び軸部５３を示している。また、図１０は、コイル１１の非通電時の状態を示す。
【００６２】
図１０に示すように、回転子５２は、直線Ｌ１上に形成された本体部５２ａと、延在部５２ｂと、延在部５２ｃとを有している。延在部５２ｂは、回転子５２の回転軸（図１０のＸ軸方向）と直線Ｌ１と含む平面（図７のＸＺ平面）と平行な一対の本体部５２ａの側面のうち、一方の側面から延在し、延在部５２ｃは、他方の側面から延在している。
【００６３】
延在部５２ｂ、５２ｃは、直方体上の部材である。延在部５２ｂは、直線Ｌ１と平行で、軸部５３の固定点を通らない直線Ｌ２上に形成されている。また、延在部５２ｂは、直線Ｌ１と平行で、軸部５３の固定点を通らない直線Ｌ４上に形成されている。なお、直線Ｌ２と直線Ｌ４は、直線Ｌ１を中心として、対称の関係になっている。言い換えると、延在部５２ｂは、直線Ｌ１を図７のＹ方向にオフセットした直線Ｌ２上に形成され、延在部５２ｃは、直線Ｌ１を図７のＹ方向で、直線Ｌ２と逆方向にオフセットした直線Ｌ４上に形成されている。磁性体５２１は延在部５２ｂの内部に埋め込まれている。
【００６４】
また、コイル１１の非通電時に、延在部５２ｃの側面は、固定鉄心１７の当接面Ａと対向し、当接面Ａと接触する。そして、当接面Ａと接触する延在部５２ｃの接触面は、可動鉄心１９の駆動方向と平行方向に法線をとり、延在部５２ｃの側面のうち、固定鉄心１７側に配置された面である。これにより、回転子５２は、コイル１１の非通電時に、固定鉄心１７の当接面Ａと接触する接触面を有している。
【００６５】
次に、図１０、図１１、図１２を用いて、リレースイッチ１００がオン、オフ時の回転子５２の作用について説明する。図１１は、リレースイッチ１００がオン、オフの時の、回転子５２の状態を説明するための、リレースイッチ１００の部分断面図である。図１１（ａ）は、リレースイッチ１００のオフ状態を、（ｂ）はリレースイッチ１００のオン状態を示す。図１０は、図１１（ａ）の収納部５１及び回転子５２の周囲を拡大した固定鉄心１７の断面図を示し、図１２は図１１（ｂ）の収納部５１及び回転子５２の周囲を拡大した固定鉄心１７の断面図を示す。
【００６６】
コイル１１の非通電状態では、図１０及び図１１（ａ）に示すように、回転子５２の一部は、回転子５２の自重により、当接面Ａより可動鉄心１８側に位置し、収納部５１の外側の位置している。また、回転子５２の本体部５２ａが、直線Ｌ１上に位置することで、回転子５２は、軸部５３の固定点を通る重力方向の直線Ｌ１に沿うように垂れ下がっている。
【００６７】
一方、コイル１１の通電状態では、リレースイッチ１００はオンになり、回転子５２は、図１１（ｂ）及び図１２の状態となる。上記のとおり、回転子５２は磁性体５２１を含んでいるため、磁性体５２１がコイル１１から発生する磁場の影響を受けて、回転子５２は軸部５３の中心軸を、回転軸として回転する。
【００６８】
回転子５２が回転すると、コイル１１の非通電時に当接面Ａよりも収納部５１の外側に出ていた回転子５２の一部は、収納部５１の内部に収まる。よって、コイル１１の導通時には、回転子５２は収納部５１の内部に完全に収納される。また、コイル１１の非通電時に、固定鉄心１７の当接面Ａと接触していた回転子５２の接触面Ｂは、当該当接面Ａから離れるように回転する。
【００６９】
そして、回転子５２が収納部５１に収納されるため、図１１（ｂ）に示すように、回転子５２が、可動鉄心１８の駆動を規制することなく、可動鉄心１８は固定鉄心１７と当接面Ａで当接し、固定接点３２と可動接点３３が当接する。これにより、通常の動作で、コイル１１の通電時には、リレースイッチ１００を動作させることができる。
【００７０】
次に、図１３、図１４を用いて、コイル１１の非通電状態で、リレースイッチ１００に衝撃が加わった時の回転子５２の作用について説明する。図１３は、リレースイッチ１００の断面図を示し、図１４は、図１３の回転子５２の周囲における、固定鉄心１７及び可動鉄心１８の断面図である。図１３、図１４の例では、可動鉄心１８の駆動方向（図１３の矢印を参照）に、衝撃が加わったとする。
【００７１】
可動鉄心１８の駆動方向に衝撃が加わった場合に、回転子５２は、駆動方向と平行な方向（図１４のＺ方向）に外力を受ける。回転子５２は、当該方向の力に対して軸部５３で支えられるため、回転子５２は動かない。
【００７２】
一方、可動鉄心１８は、衝撃による駆動方向への外力によって、固定鉄心１７に近づくように移動する。
【００７３】
この際、可動鉄心１８は、固定鉄心１７の当接面に近づくように移動するが、本例では、図１４に示すように、コイル１１の非通電時には、回転子５２の一部が、固定接点１７の当接面よりも収納部５１の外側であり、可動接点１８側に位置する。
【００７４】
また、回転子５２の接触面Ｂは固定鉄心１７の当接面Ａと接触しており、当接面Ａ及び接触面Ｂは、衝撃による外力の方向に対して垂直な方向に沿う面になっている。
【００７５】
そして、固定鉄心１７に近づくように移動した可動鉄心１８は、回転子５２に衝突する。この時、回転子５２は、可動鉄心１８の衝突により受ける力を、軸部５３と、当接面Ａと接触面Ｂとの接触部分で受け止める。そのため、回転子５２が可動接点と固定鉄心との間でスペーサとして機能し、可動接点１８の移動が規制される。これにより、コイル１１の非通電時に、外部からの衝撃等により、リレースイッチ１００が可動鉄心１８の駆動方向に外力を受けた場合に、本例は、可動接点３３が固定接点３２に当接することを防ぎ、リレースイッチ１００が誤ってオンになることを防ぐことができる。
【００７６】
次に、図１５、図１６、図１７を用いて、コイル１１の非通電状態で、リレースイッチ１００に衝撃が加わった時の回転子５２の作用について説明する。図１５は、リレースイッチ１００の断面図を示し、図１６は、図１５の一方の回転子５２（図１６の紙面上での右側の回転子５２）の周囲における、固定鉄心１７及び可動鉄心１８の断面図である。図１７は、図１５の他方の回転子５２（図１６の紙面上での左側の回転子５２）の周囲における、固定鉄心１７及び可動鉄心１８の断面図である。図１５〜図１７の例では、可動鉄心１８の駆動方向に対して斜めの方向（図１５の矢印を参照）に、衝撃が加わったとする。
【００７７】
図１５の矢印で示す方向に、衝撃による外力が、リレースイッチ１００に加わった場合に、図１６に示すように、一方の回転子５２は、当該外力により回転し、収納部５１に収納するように移動する。
【００７８】
一方、図１７に示すように、他方の回転子５２は、外力を受ける方向に対して、接触面Ｂと当接面Ａとの接触部分で、固定鉄心１７に支えられている（図１７のＣで囲む円を参照）。すなわち、他方の回転子５２の軸部５３を回転軸とする回転は、当該接触部分で規制されるため、回転子５３は移動しない。
【００７９】
可動鉄心１８は衝撃により固定鉄心１７に近づくように移動するが、図１７に示す他方の回転子５２と衝突する。この時、他方の回転子５２は、可動鉄心１８の衝突により受ける力を、軸部５３と、当接面Ａと接触面Ｂとの接触部分で受け止める。そのため、他方の回転子５２が可動接点と固定鉄心との間でスペーサとして機能し、可動接点１８の移動が規制される。
【００８０】
これにより、コイル１１の非通電時に、外部からの衝撃等により、リレースイッチ１００が可動鉄心１８の駆動方向に対して斜めの方向から外力を受けた場合に、可動鉄心１８及び一方の回転子５２は移動するが、他方の回転子５２は初期の位置で留まり、スペーサとして機能するため、可動接点３３が固定接点３２に当接することを防ぎ、リレースイッチ１００が誤ってオンになることを防ぐことができる。
【００８１】
上記のように、本例において、固定鉄心１７は、一対の回転子５２及び一対の収納部５１を有し、一対の回転子５２は、可動鉄心１８の駆動方向と平行な固定鉄心１７の中心軸に対して対称に配置されている。
【００８２】
これにより、リレースイッチ１００に対して衝撃等の外力が加わった場合に、一対の回転子５２のうち、少なくとも一方の回転子は、収納部５１に収納される回転方向と反対側の回転方向で、収納部５１の壁にぶつかり、初期位置に留まり、スペーサとして機能する。その結果として、コイル１１の非通電時に、可動鉄心１８が固定鉄心１７に当接することを防ぎ、リレースイッチ１００の誤動作を防ぐことができる。
【００８３】
また本例において、回転子５２は、コイル１１の非通電時に、固定鉄心１７の当接面Ａと接触する接触面Ｂを有する。これにより、コイル１１の非通電時に、回転子５２の少なくとも一つの面を、固定鉄心１７に対して面接触することができるため、外部からの衝撃等により可動鉄心１８が移動した場合に、可動鉄心１８が固定鉄心１７に当接することを防ぎ、リレースイッチ１００の誤動作を防ぐことができる。
【００８４】
なお、本例の変形例として、図１８に示すように、第２実施形態の回転子５２を一対として、固定鉄心１７に設けてもよい。図１８は、本発明の変形例に係るリレースイッチ１００の断面図である。ただし、図１８は、コイル１１の非通電状態で、リレースイッチ１００に衝撃が加わり、可動鉄心１８の駆動方向に対して斜めの方向の外力が加わった状態を示している。
【００８５】
図１８に示すように、回転子５２の形状は、図７に示す形状と同一である。一対の回転子５２は、固定鉄心１７の中心軸（Ｌ３）の垂直方向に沿う平面において、磁性体５２１を含む延在部５２ｂを中心軸（Ｌ３）側に、本体部５２ａを中心軸（Ｌ３）に対して外方に、配置する。そのため、一対の延在部５２ａの磁性体５２１は、中心軸（Ｌ３）を挟んで互いに向かい合っている。一対の本体部５２ａが、一対の延在部５２ｂに対して中心軸（Ｌ３）と反対側に、それぞれ配置されている。
【００８６】
図１９は、図１８の一方の回転子５２（図１８の紙面上での右側の回転子５２）の周囲における、固定鉄心１７及び可動鉄心１８の断面図である。図２０は、図１８の他方の回転子５２（図１８の紙面上での左側の回転子５２）の周囲における、固定鉄心１７及び可動鉄心１８の断面図である。
【００８７】
図１８の矢印で示す方向に、衝撃による外力が、リレースイッチ１００に加わった場合に、図１９に示すように、一方の回転子５２は、当該外力により回転し、収納部５１に収納するように移動する。
【００８８】
一方、図２０に示すように、他方の回転子５２では、外力を受ける方向に対して、本体部５２ａの外側（中心軸Ｌ３に対して径方向）の壁が収納部５１の壁にぶつかる（図２０のＤで囲む円を参照）。そのため、他方の回転子５２の軸部５３を回転軸とする回転は、壁同士の接触部分で規制されるため、回転子５３は移動しない。
【００８９】
可動鉄心１８は衝撃により固定鉄心１７に近づくように移動するが、図２０に示す他方の回転子５２と衝突する。この時、他方の回転子５２は、可動鉄心１８の衝突により受ける力を、軸部５３で受け止める。そのため、他方の回転子５２が可動接点と固定鉄心との間でスペーサとして機能し、可動接点１８の移動が規制される。
【００９０】
これにより、コイル１１の非通電時に、外部からの衝撃等により、リレースイッチ１００が可動鉄心１８の駆動方向に対して斜めの方向から外力を受けた場合に、可動鉄心１８及び一方の回転子５２は移動するが、他方の回転子５２は初期の位置で留まり、スペーサとして機能するため、可動接点３３が固定接点３２に当接することを防ぎ、リレースイッチ１００が誤ってオンになることを防ぐことができる。
【００９１】
《第４実施形態》
図２１は、本発明の他の実施形態に係るリレースイッチの回転子５２の斜視図である。本例では、第３実施形態に係る回転子５２に対して、バネ５４を設ける点が異なる。これ以外の構成は上述した第３実施形態と同じであり、第３実施形態の記載を適宜、援用する。なお、回転子５２は、第３実施形態のように、一対とする必要はなく、第１実施形態のように、一つの回転子５２であってもよい。
【００９２】
図２１に示すように、回転子５２の内部には、軸部５３の軸心に巻き付かれた、渦巻き状のバネ５４が設けられている。回転子５２が回転すると、バネ５４は回転子５２を初期の位置に戻るように、付勢する復帰バネである。バネ５４の弾性力は、コイル１１の通電時に回転子５２が収納部５１収納され、かつ、コイル１１の非通電時に回転子５２の一部が収納部５１の外部に出されて、初期の位置に戻るように、設定されている。
【００９３】
次に、図２２を用いて、コイル１１の通電状態から非通電状態になる際のバネ５４の作用について説明する。図２２は、収納部５１及び回転子５２の周囲を拡大した固定鉄心１７の断面図を示す。ここで、リレースイッチ１００が水平の状態で設定されておらず、可動鉄心１８の駆動方向をＺ方向、重力方向をＹ方向とする。
【００９４】
コイル１１が通電状態から非通電状態になる場合に、回転子５２は、バネ５４によって、初期の位置に戻るよう、回転子５２の重力に逆らって、図２２の矢印で示すように回転する。
【００９５】
すなわち、バネ５４を設けていない場合には、コイル１１の非通電時に、回転子５２の受ける力は重力のみになるため、回転子５２は回転せずに、収納部５１に収納された状態になってしまう。一方、本例では、バネ５４を設けることで、コイル１１の非通電時に、回転子５２が重力によって初期の位置に戻れないような場合であっても、バネ５４の弾性力によって、回転子５２を初期の位置に戻すことができる。
【００９６】
上記のように、本例において、回転子５２は、コイル１１が通電状態から非通電状態になる際に、回転子５２の回転方向に付勢するバネ５４を有している。これにより、リレースイッチ１００の設置位置に関係なく、コイル１１の非通電時に、コイル１１を初期の位置まで戻すことができる。その結果として、コイル１１の非通電時に、回転子５２をスペーサとして作用させることができるため、リレースイッチ１００の誤動作を防ぐことができる。
【００９７】
なお、バネ５４は、渦巻きバネの他に、板状のバネ等で形成されてもよい。
【００９８】
上記のバネ５４が本発明の「付勢手段」に相当する。
【００９９】
《第５実施形態》
本発明の他の実施形態に係るリレースイッチ１００の収納部及び回転子について説明する。本例では上述した第１実施形態に対して、収納部５１の形状及び回転子５２の形状が異なる。これ以外の構成は上述した第１実施形態と同じであるため、その記載を適宜、援用する。図２３は、コイル１１の非通電状態において、収納部５１及び回転子５２の周囲を拡大した固定鉄心１７及び可動鉄心１８の断面図を示す。コイル１１を非通電状態から通電状態になる際の、回転子の回転方向を順方向と称す（図２３の回転方向（Ｒ１））。一方、図２２の回転方向（Ｒ２）を逆方向と称す。
【０１００】
図２３に示すように回転子２２は、直線Ｌ１よりも、回転子２２の逆方向への回転方向側に側面Ｅを有している。側面Ｅは、直線Ｌ１及び回転子５２の回転軸を含む平面に対して傾斜している。
【０１０１】
直線Ｌ１を含む平面で、回転子５２の回転軸に対して垂直方向にきったときの回転子５２の断面について、側面Ｅに相当する辺は、直線Ｌ１を回転子５２の回転方向の順方向に向けて傾けた辺と平行な関係になっている。
【０１０２】
また、回転子５２の上記断面について、回転子５２の底面に相当する辺のうち、直線Ｌ１から側面Ｅまでの辺ｓの長さは極力短くなっており、当該辺の延長線と側面Ｅに相当する辺とで形成される角度ｔは極力大きくなるように、回転子５２は形成されている。
【０１０３】
収納部５１は、コイル１１の非通電時に、側面Ｅの一部を、固定鉄心１７の切り欠き部分に収納し、側面Ｅの他の部分を、当該切り欠き部分の外に位置するよう、形成されている。
【０１０４】
次に、コイル１１の通電状態時の回転子５２の回転動作と可動鉄心１８の移動との関係について説明する。図２４、図２５は、収納部５１及び回転子５２の周囲を拡大した固定鉄心１７及び可動鉄心１８の断面図である。図２３が回転子５２の初期の位置の状態を、図２４が回転子５２の回転途中の状態を、図２４が回転子５２の回転が終わった状態を示す。なお、図２５がリレースイッチ１００のオン状態に相当する。
【０１０５】
図２４に示すように、回転子５２が収納部５１に収納されるよりも早く可動鉄心１８が固定鉄心１７に近づくと、可動鉄心１８の当接面が、回転子５２の頂点Ｐ１に接触する。側面Ｅの形状について、側面Ｅは、軸部５３の固定点を中心とした回転子５２の回転軌跡上で、側面Ｅの端部である、外周側の外周端部（図２４の頂点Ｐ１の部分）と、内周側の内周端部（図２４の頂点Ｐ２の部分）とを有している。回転子５２の回転軌跡で、頂点Ｐ１を含む外周端部は、可動鉄心１８に近い軌跡を通る。
【０１０６】
そのため、回転子５２の回転の際に、頂点Ｐ１を含む外周端部は、固定鉄心１７と可動鉄心１８との間で、頂点Ｐ２を含む内周端部よりも可動鉄心１８側への最下点になる。回転子５２の回転途中で、可動鉄心１８が回転子５２と衝突すると頂点Ｐ１を含む外周端部は、頂点Ｐ２を含む内周端部よりも早く可動鉄心１８と接触する。
【０１０７】
そして、回転子５２は、可動鉄心１８の移動により、押し上げられるように、さらに順方向に回転し、収納部５１に収納される。
【０１０８】
図２３の辺ｓを長くし、角度ｔを直角にした時の回転子５２（参考例と称す。）との比較で、本例を説明すると、本例は、参考例と比較して、辺ｓを短くして角度ｔを大きくしている。そして、回転子５２の回転の際に、頂点Ｐ１を含む外周端部は、参考例よりも、固定鉄心１７の当接面Ａを含む平面（固定鉄心１７の開口面）を早く越えてくる。これにより、コイル１１の通電時で、回転子５２が収納部５１に完全に収納されていない状態で、可動鉄心１８が固定鉄心１７に近づき、回転子５２と衝突すると、可動鉄心１８の力により、回転子５２の回転が補われ、回転子５２を収納部５１に収納することができる。
【０１０９】
上記のように、本例において、回転子５２は、回転子５２の逆方向への回転方向側に側面（傾斜面）Ｅを有し、当該側面の外周端部は、回転子５２の回転で、最も可動鉄心１８側に近い軌跡を通る。これにより、コイル１１の通電時で、回転子５２が収納部５１に完全に収納されていない状態で、可動鉄心１８が回転子５２に衝突した場合に、可動鉄心１８の力で回転子５２の回転が補われるため、回転子５２を、問題なく収納部５２に収納することができる。
【符号の説明】
【０１１０】
１００…リレースイッチ
１０…駆動部
１１…コイル
１２…ボビン
１２１…壁部
１２２…板部
１３…筐体部
１３１…底面部
１３２…壁部
１３３…凹部
１４…上板
１４１…挿入孔
１５…フランジャキャップ
１５１…筒部
１５２…底面部
１６…ゴムダンパ
１７…固定鉄心
１７１、１７２…円筒部
１７３…凹部
１７１１、１７１２…挿入孔
１８…可動鉄心
１８１、１８２…円筒部
１８３…凹部
１８１１、１８１２…挿入孔
１９…バネ
３０…接点部
３１…ベースブロック
３１１…天板
３１１１、３１１２…挿入孔
３１２…壁部
３２…固定接点
３２１、３２２…円筒部
３３…可動接点
３４…シャフト
３４１…軸部
３４２…軸受け部
３５…バネ
５１…収納部
５２…回転子
５２ａ…本体部
５２ｂ、５２ｃ…延在部
５２１…磁性体
５３…軸部
５４…バネ
【図１】
2014096273.tif 000003
【図２】
2014096273.tif 000004
【図３】
2014096273.tif 000005
【図４】
2014096273.tif 000006
【図５】
2014096273.tif 000007
【図６】
2014096273.tif 000008
【図７】
2014096273.tif 000009
【図８】
2014096273.tif 000010
【図９】
2014096273.tif 000011
【図１０】
2014096273.tif 000012
【図１１】
2014096273.tif 000013
【図１２】
2014096273.tif 000014
【図１３】
2014096273.tif 000015
【図１４】
2014096273.tif 000016
【図１５】
2014096273.tif 000017
【図１６】
2014096273.tif 000018
【図１７】
2014096273.tif 000019
【図１８】
2014096273.tif 000020
【図１９】
2014096273.tif 000021
【図２０】
2014096273.tif 000022
【図２１】
2014096273.tif 000023
【図２２】
2014096273.tif 000024
【図２３】
2014096273.tif 000025
【図２４】
2014096273.tif 000026
【図２５】
2014096273.tif 000027